(57)【特許請求の範囲】
【請求項１】
熱融着性プラスチックフィルムを二つに折曲して重ね合わせ、その折曲線と交差する並行な二条の熱融着線によって重ね合わせた前記フィルムを融着し、前記折曲線と前記熱融着線とが囲む部分で前記折曲線の対向側に開口を有する指挿入部が形成されている指サックであって、
前記折曲線の対向側縁が前記熱融着線の延在する方向へずれるように前記フィルムが折曲されて重ね合わせられることにより、前記対向側縁が前記開口と前記折曲線とに対して相対的に近い自由縁部と遠い自由縁部とで形成されており、前記熱融着線を介して台紙に剥離可能に接合されるとともに、前記遠い自由縁部の一部においても前記台紙に剥離可能に接合してあることを特徴とする生理用タンポン挿入用指サック。
【請求項２】
前記折曲線が円弧に仕上げた成形型に倣って弧状に賦型されている請求項１記載の指サック。
【発明の詳細な説明】
【０００１】
【産業上の利用分野】
この発明は、生理用タンポンを膣に挿入するときに使用する指サックに関する。
【０００２】
【従来の技術】
従来、生理用タンポンを膣に挿入するときに使用する指サックは、公知である。例えば、実開平２−１０２２２１号や特公平４−３９３３５号公報には、２枚の樹脂フィルムを重ね合わせ、先端部と左右両側部とにおいて互いに熱融着するとともに、その熱融着部にそって溶断し、先端部の対向側に指挿入口を形成した指サックが開示されている。なお、一般的な生理用タンポンは、吸水性繊維からなる不織布を円柱状に圧縮賦型したものであって、その後端部に引き出し紐を備えている。
【０００３】
【発明が解決しようとする課題】
前記従来技術の指サックの熱融着部は、一般に固化して肌触りが悪いという問題がある。また、溶断した部分にはバリが残り、それが肌触りを悪くする一因になるばかりでなく、繊維質のタンポン本体やそれから延出する引き出し紐にからまり易く、挿入し終わったタンポンから速やかに指を離すときの支障になるという問題がある。それゆえ、この種の指サックは、熱融着部や溶断部分を極力少なくすることが望ましい。
【０００４】
この発明は、熱融着性プラスチックフィルムを二つに折曲し、その折曲線が指サックの先端部となるようにすることで前記従来技術の問題を解決することを課題にしている。
【０００５】
【課題を解決するための手段】
この発明は、熱融着性プラスチックフィルムを二つに折曲して重ね合わせ、その折曲線と交差する並行な二条の熱融着線によって重ね合わせた前記フィルムを融着し、前記折曲線と前記熱融着線とが囲む部分で前記折曲線の対向側に開口を有する指挿入部が形成されている指サックであって、前記折曲線の対向側縁が前記熱融着線の延在する方向へずれるように前記フィルムが折曲されて重ね合わせられることにより、前記対向側縁が前記開口と前記折曲線とに対して相対的に近い自由縁部と遠い自由縁部とで形成されており、前記熱融着線を介して台紙に剥離可能に接合されるとともに、前記遠い自由縁部の一部においても前記台紙に剥離可能に接合してあることを特徴とする生理用タンポン挿入用指サックにある。
【０００６】
この発明は、好ましい実施形態として、前記折曲線が円弧に仕上げた成形型に倣って弧状に賦型されていることを含む。
【０００７】
【実施例】
この発明に係る生理用タンポン挿入用指サックの詳細を添付の図面を参照して説明すると、以下のとおりである。
【０００８】
図１、２は、指サック１の斜視図と、そのＩＩ−ＩＩ線断面図である。指サック１は、薄くて柔軟なポリエチレンフィルム等の熱融着性プラスチックフィルム１０からなるものであって、台紙２に剥離可能に接合してある。指サック１は、そのプラスチックフィルム１０が折曲線３で二つに折り重ねてあり、重ね合わせたフィルムどうしが左右両側縁の接合線４で融着してある。折曲線３は、指サック１の先端縁部をなし、その対向側では指サック１の後端縁部としての折り重ねたフィルムの自由縁部６，７が位置して指挿入用の開口５を形成している。ただし、それら自由縁部６，７は互いの位置を折曲線３に対してその一方が近く他方が遠くなるように前後方向にずらすことにより、開口５への指の挿入を容易にしてある。
【０００９】
図３は、指サック１を連続的に製造する工程の模式図である。（Ａ）では、左右両側部を長手方向に延びる折曲線３ａ，３ｂで折曲した厚さ３０ミクロンのポリエチレンフィルム１０をエンドレスの台紙２の上に連続的に供給する。次いで、フィルム１０の折曲して重なり合う部分に、幅方向に延びて互いに並行する一対の線４ａ，４ｂからなる幅２ｍｍの融着線４を長手方向に反復して施し、重なり合うフィルム１０を融着する。その後、融着線４の外側縁と、フィルム１０の幅方向中央部とに鎖線１１に沿うトリミングを施す。（Ｂ）では、トリミングしたフィルム１０の不要部分を台紙２から取り除き、指サック１のみを残した状態が示してある。指サック１は、融着線４が台紙２に剥離可能に接合した状態にある。なお、図３では、フィルム１０の両側部を折曲し、台紙２の上に左右一対の指サック１が対向配置されるようにしてあるが、フィルム１０は、例えば一方の折曲線３ａだけで折曲するようにしてもよい。また、指サック１の自由縁部７のごく一部２５を溶融して台紙２に剥離可能に接合しておくと、開口５への指の挿入が一層容易になる。
【００１０】
図４は、図３とは異なる態様の製造工程の模式図である。この工程の（Ａ）では、板状の成形型２０を使用してフィルム１０を賦型する。成形型２０には、先端部２１を人の指先に似せて円弧に仕上げた指状部２２が並置されており、その先端部２１をフィルム１０の折曲線３に内側から押圧する。その際に、フィルム１０の少なくとも折曲線３近傍を加熱軟化させるか、または／および成形型２０の少なくとも先端部２１を加熱しておき、折曲線３が成形型２０に倣って円弧を反復して描くように賦型する。また、その賦型を容易にするため、必要なら成形型２０とともにフィルム１０をおさえるための適宜の補助的成形型を使用する。工程（Ｂ）では、離型したフィルム１０を台紙２の上に供給し、弧状に賦型された部分の両側に融着線４ａ，４ｂを施した後、所要形状のトリミングを施す。工程（Ｃ）では、トリミングしたフィルム１０の不要部分を取り除き、指サック１のみを台紙２に残した状態が示してある。この製造工程による指サック１は、その先端縁部が弧状に仕上っているから、図１のそれよりも着用感がよく、タンポンの挿入も容易になる。
【００１１】
【発明の効果】
この発明に係る指サックは、その先端縁部をフィルムを折り重ねることにより形成したから、当該部は滑らかであって肌を刺激することがない。また、繊維質のタンポン本体やその引き出し紐が絡みつくこともないから、タンポンの挿入が容易になる。
【００１２】
指サックは、その長さ方向に沿う両側縁を形成する熱融着線を介して台紙に剥離可能に接合するとともに、その先端縁部、すなわち、折曲線に位置する部位は、台紙に接合していないので、指サックを台紙から剥離するときの使用者による摘持の案内部となり、その剥離操作がきわめて容易になる。
【００１３】
指サックが、その開口を形成する自由縁部でも台紙に剥離可能に接合している態様では、該開口に使用者が指を挿入し易い。
【図面の簡単な説明】
【図１】  タンポン挿入用指サックの斜視図。
【図２】  図１のＩＩ−ＩＩ線断面図。
【図３】  指サックの製造工程を示す模式図。
【図４】  図３と異なる態様の製造工程の模式図。
【符号の説明】
１    生理用タンポン挿入用指サック
２    台紙
３，３ａ，３ｂ    折曲線
４，４ａ，４ｂ    融着線
５    開口
６，７    自由縁部
１０    プラスチックフィルム
２０    成形型
２５    融着部
【図１】
0003732423.tif 000002
【図２】
0003732423.tif 000003
【図３】
0003732423.tif 000004
【図４】
0003732423.tif 000005